(57)【要約】      （修正有）【課題】靴下の内側底面に装着するもので、通常の靴を履き、身長を高く見せるばかりでなく、靴を脱いだ状態でも高い身長を維持することができ、且つ、つま先立ちとすることにより姿勢を良くし、血行を良好とすることができる靴下用踵持上具を提供する。【解決手段】靴下の内側底面に装着する踵持ち上げ具１において、つま先部の後方に位置する前部２から土踏まず相当部３及び後部の踵相当部４へと漸次厚みを増して表面側を弾性体とした傾斜部よりなり、該土踏まず相当部においては、土踏まずに密着するように変形山形状凸部を設け、該傾斜部表面全体を足裏に密着するように形成し、前部及び踵相当部の裏面側は硬めの弾性体として靴下用踵持ち上げ具を構成する。【選択図】図１
0003156005.tif 000002
【実用新案登録請求の範囲】
【請求項１】
靴下の内側底面に装着する踵持ち上げ具において、つま先部の後方に位置する前部から土踏まず相当部及び後部の踵相当部へと漸次厚みを増して表面側を弾性体とした傾斜部よりなり、該土踏まず相当部においては、土踏まずに密着するように変形山形状凸部を設け、該傾斜部表面全体を足裏に密着するように形成し、前部及び踵相当部の裏面側は硬めの弾性体としたことを特徴とする靴下用踵持ち上げ具。
【請求項２】
踵相当部の高さを４０〜５０ｍｍとしたことを特徴とする請求項１記載の靴下用踵持ち上げ具。
【請求項３】
傾斜部に多数の小突起よりなる凸部を形成し、該凸部の頂部を足裏に密着するように形成してなることを特徴とする請求項１又は２記載の靴下用踵持ち上げ具。
【請求項４】
土踏まず相当部の多数の小突起よりなる凸部は、他の位置の凸部より高く形成し、それら凸部の頂部を足裏に密着するように形成してなることを特徴とする請求項３記載の靴下用踵持ち上げ具。
【請求項５】
傾斜部となる踵相当部は、踵と密着するようにその短手方向中央部を底とした湾曲状凹部を形成してなることを特徴とする請求項１乃至４のいずれか１記載の靴下用踵持ち上げ具。
【考案の詳細な説明】
【技術分野】
【０００１】
本考案は、靴下の中に入れる靴下用踵持ち上げ具に関する。
【背景技術】
【０００２】
従来、身長を高く見せる手段として靴の底を高くしたり、靴の中敷を厚くしたりしていたが、靴を脱ぐ室内等ではその効果が発揮できなかった。他方、つま先立ちは、姿勢を良くし、且つ血行を良好とすることが知られている。
【先行技術文献】
【特許文献】
【０００３】
【特許文献１】特開平１０−６６６０６号公報
【特許文献２】特開２００７−４４４５８号公報
【考案の概要】
【考案が解決しようとする課題】
【０００４】
本考案の踵持ち上げ具は、靴下の内側底面に装着するもので、通常の靴を履いて身長を高く見せるばかりでなく、靴を脱いだ状態でも高い身長を維持することができ、且つ、つま先立ちとすることにより姿勢を良くし、血行を良好とするものである。
【課題を解決するための手段】
【０００５】
本考案は、靴下の内側底面に装着する踵持ち上げ具において、つま先部の後方に位置する前部から土踏まず相当部及び後部の踵相当部へと漸次厚みを増して表面側を弾性体とした傾斜部よりなり、該土踏まず相当部においては、土踏まずに密着するように変形山形状凸部を設け、該傾斜部表面全体を足裏に密着するように形成し、前部及び踵相当部の裏面側は硬めの弾性体とした靴下用踵持ち上げ具を特徴とする。
【０００６】
また、踵相当部の高さを４０〜５０ｍｍとした靴下用踵持ち上げ具を特徴とする。
【０００７】
更に、傾斜部に多数の小突起よりなる凸部を形成し、該凸部の頂部を足裏に密着するように形成してなる靴下用踵持ち上げ具を特徴とする。
【０００８】
また、土踏まず相当部の多数の小突起よりなる凸部は、他の位置の凸部より高く形成し、それら凸部の頂部を足裏に密着するように形成してなる靴下用踵持ち上げ具を特徴とする。
【０００９】
更に、傾斜部となる踵相当部は、踵と密着するようにその短手方向中央部を底とした湾曲状凹部を形成してなる靴下用踵持ち上げ具を特徴とする。
【考案の効果】
【００１０】
本考案は、室内外を問わず常に身長を高く見せる踵持ち上げ具を得ることが可能となった。
【００１１】
また、踵部の持ち上げ高さを４０〜５０ｍｍとすることにより、その持ち上がった踵部の位置がシルエットとしてみた場合に持ち上げているようには見えず、解剖学的踝関節の位置を良好とし、自然な状態で膝下シルエットを形成することができ、身体全体としても足の長いスマートな体型を得ることが可能となった。
【００１２】
更に、つま先立ちをすることになり、身体のバランスをとるために、姿勢を良好とすることが可能となった。
【００１３】
また、つま先立ちすることにより、膝痛や腰痛の解消、肌荒れ、足のむくみやタレ尻の解消、血行を良好とすることにより冷え性やドロドロ血液の解消することができ、健康の維持増進を図ることが可能となった。
【００１４】
更に、つま先立ちすることにより、体全体の筋肉を強化することができ、特に、腹中や腰中の筋群並びに強化の困難なアキレス腱及びふくらはぎの筋肉等を効果的に鍛え、基礎代謝を上げることにより内臓脂肪の増加を抑え、且つ、脳へのバランス感覚の鍛錬ができ、つまずいたりよろけたりする脳老化の防止が可能となった。
【図面の簡単な説明】
【００１５】
【図１】本考案の靴下用踵持ち上げ具と足との関係を示す側断面図。
【図２】本考案の靴下用踵持ち上げ具の平面図。
【図３】本考案の靴下用踵持ち上げ具の他の実施例の側断面図。
【図４】本考案の靴下用踵持ち上げ具の他の実施例の側断面図
【考案を実施するための形態】
【００１６】
以下、図面を参考に本考案の実施例を説明する。
【実施例１】
【００１７】
図１は、本考案の靴下用踵持ち上げ具の側断面図、図２は、同平面図である。
【００１８】
靴下用踵持ち上げ具１は、前部２、土踏まず相当部３及び踵相当部４とより形成され、その表面側は前部２から踵相当部４にかけて漸次厚みが増加するように傾斜部を形成している。
【００１９】
前部２は、つま先部の後方に位置し、その後方側を厚くし、土踏まず相当部３は、その土踏まずの凹部に沿うように緩やかな凸部５を形成している。
【００２０】
足裏における土踏まずとなる凹部は、左右ともその内側に形成されているので、該凹部に合うように緩やかな凸部５を形成している。従って、左側の靴下用踵持ち上げ具１にあっては、前部２から見てその左側に、右側の靴下用踵持ち上げ具１にあっては、前部２から見てその右側に各々変形山形状の凸部５を設けている。
【００２１】
該変形山形状凸部５としては、表面側がなだらかな曲面を有し、且つ靴下用踵持ち上げ具１の長手方向となる縦方向にほぼ半割状とされた形状のものが良好である。
【００２２】
踵相当部４は、踵を持ち上げ、且つその位置から踵がずれることなく安定的に固定されるようにその表面側を踵の湾曲状となる突出した曲面に合うように湾曲上の凹部６とし、該踵の底表面側がやや嵌入する程度の凹部６を形成している。
【００２３】
上記靴下用踵持ち上げ具１は、弾性体により形成され、前部２、土踏まず相当部３及び踵相当部４の表面側は、各々身体のつま先の後部、土踏まず及び踵の形状に合うように弾力性に富んだ材料で形成され、個人差によるそれらの形状の相違をある程度まで吸収し、それらに沿うように弾性変形できるようにしている。
【００２４】
また、中部及び底部側は、身体の足裏に近似した硬さが得られる弾性体により形成されており、歩行に違和感が生じないようにしている。
【００２５】
土踏まず相当部３は、歩行のしやすさを得るため、前部２や踵相当部４より軟質な材料とすることが好ましい。
【００２６】
踵の高さは、３０〜７０ｍｍが良く、特に解剖学的踝関節の位置となる４０〜５０ｍｍが最適値であり、この高さにより自然な膝下シルエットを得ることが可能となる。
【００２７】
上記靴下用踵持ち上げ具１は、身体の足裏と密着することが可能であるが、該足裏と一体化するため、靴下Ａを履くことになる。この靴下Ａにより前後左右が固定され、所定の位置から靴下用踵持ち上げ具１がずれることなく歩行することが可能となる。
【実施例２】
【００２８】
図３は、前部２、土踏まず相当部３及び踵相当部４の表面側に多数の小突起よりなる少なくとも先端が硬く形成された小凸部７を形成し、その頂部８が足裏に密着するように形成している。上記頂部８により足裏の多数箇所が押圧され、足裏に存在する多数のつぼを刺激することになり、身体が活性化することになる。
【実施例３】
【００２９】
図４は、土踏まず相当部３に設けた突起の高さを高くした小凸部９を設けたものである。この部分の小凸部９を高くすることにより、足裏と靴下用踵持ち上げ具１の表面との間に間隙を設けることができ、当該部分の折り曲げ等の動きが良好となるようにしている。
【符号の説明】
【００３０】
１          靴下用踵持ち上げ具
２          前部
３          土踏まず相当部
４          踵相当部
５          凸部
６          凹部
７、９      小凸部
８          頂部
【図１】
0003156005.tif 000003
【図２】
0003156005.tif 000004
【図３】
0003156005.tif 000005
【図４】
0003156005.tif 000006